(57)【要約】【課題】天然竹本来の質感を損ねることなく、耐熱効果を有する飲食用容器を提供することを目的とする。【解決手段】底部４を有する容器本体２に飲食物を注ぎ入れるための飲食用容器１において、竹筒の表面を模した耐熱性ガラスもしくは耐熱性セラミックス製の筒部３と、耐熱ガラスもしくは耐熱セラミックスで構成され、前記筒部３よりも径の大きな節部３２とを設けて構成する。また、筒部３の側方に枝部５１と笹部５２からなる取っ手５を設け、笹部５２の先端を筒部３の側方に戻す。【選択図】図１
0003122096.tif 000002
【実用新案登録請求の範囲】
【請求項１】
有底の容器本体に飲食物を注ぎ入れるための飲食用容器において、
竹筒の表面に模した耐熱性ガラスもしくは耐熱性セラミックス製の筒部と、耐熱ガラスもしくは耐熱セラミックスで構成され、前記筒部よりも径の大きな節部とを設けて構成したことを特徴とする飲食用容器。
【請求項２】
前記筒部が、上下方向に沿った繊維状凹凸を形成することによって竹筒の表面を模したものである請求項１に記載の飲食用容器。
【請求項３】
請求項１に記載の飲食用容器において、前記容器本体の側部に取っ手を設け、当該取っ手を竹の枝、又は／及び、笹の葉の形状に模した耐熱性ガラスもしくは耐熱性セラミックスで構成したことを特徴とする飲食用容器。
【請求項４】
前記取っ手の上部を笹の葉の形状で構成したことを特徴とする請求項３に記載の飲食用容器。
【考案の詳細な説明】
【技術分野】
【０００１】
本考案は、お茶、酒などの飲み物や水羊羹、茶碗蒸しなどの食べ物に使用する竹筒容器の形状を模した飲食用容器に関するものである。
【背景技術】
【０００２】
竹は、古来より箸、籠、笊などとして使用され、また、竹筒を利用してお酒の燗や炊飯などもおこなわれるというように生活に密着し且つ衛生上安全な材料とし慣れ親しまれている。近年、竹筒を容器として利用した水羊羹の商品が売り出されている。このような容器は、容積が同じものを大量に揃えるのは難しく、また、青竹の場合では色が時間と共に褪せるという問題があるため、これを用いた商品では、数量限定や期間限定の販売となってしまう。このような問題点を解決するために、近年では、プラスチックや特許文献１に示すようなポリオレフィン系熱可塑性樹脂と竹との組成物を用い、青竹のように塗装した竹筒容器が水羊羹の容器などとして使用されている。
【特許文献１】特開２００３−００２３１６号公報
【考案の開示】
【考案が解決しようとする課題】
【０００３】
しかしながら、従来の容器では、容器本体に熱いお酒を注ぎ込む場合や、レンジなどの加熱調理器具を用いて加熱する場合、容器本体に亀裂や破損を生じてしまう可能性がある。このため、注ぎ込みの温度が限定されてしまい、また、レンジなどの加熱調理器具に使用できない。さらには、従来における竹筒を模した容器では、表面に光沢感があり、外観を竹に模したとしても触感や美観に違和感を生じさせてしまうという問題を有していた。
【０００４】
そこで、本考案は上記課題を解決するために、天然の竹本来の質感を損ねることなく、高温に加熱された飲料であっても注ぎ込むことのできる飲食用容器を提供することを目的とする。
【課題を解決するための手段】
【０００５】
すなわち、本考案は上記課題を解決するために、有底の容器本体に飲食物を注ぎ入れるための飲食用容器において、竹筒の表面に模した耐熱性ガラスもしくは耐熱性セラミックス製の筒部と、耐熱ガラスもしくは耐熱セラミックスで構成され、前記筒部よりも径の大きな節部とを設けて構成するようにしたものである。
【０００６】
また、好ましくは、筒部の上下方向に沿った繊維状凹凸を形成することによって竹筒の表面を模するようにする。
【０００７】
このように構成すれば、筒部の表面が自然の竹筒の表面と類似しており、また、竹の繊維を有するように凸凹を有しているため、天然の竹の触感や美観に似せることができる。また、耐熱性ガラスや耐熱性セラミックスなどによって耐熱効果を有することから、注ぎ込める飲料などの温度に限定を生じさせるようなことがなくなる。なお、ここで、「耐熱性ガラス」や「耐熱性セラミックス」とは、具体的には、JIS S2030（耐熱ガラス製食器）に定められる性質、もしくは、JIS S2400（陶磁器製耐熱食器）に定められる性質を有するガラスや陶磁器をいう。また、「繊維状凹凸」とは、天然の竹筒の表面に現れている繊維によって形成される筋状の凹凸をいう。
【０００８】
また、このような飲食用容器において、容器本体の側部に取っ手を設け、当該取っ手を竹の枝、又は／及び、笹の葉の形状に模した耐熱性ガラスもしくは耐熱性セラミックスで構成する。
【０００９】
このように構成すれば、取っ手自体も竹の枝や笹の葉の形状に模して構成されるため、竹の質感を損なうようなことがなくなる。また、取っ手も耐熱性ガラスや耐熱性セラミックスによって構成されているため、温度変化などに基づいて劣化を生じさせるようなことがなくなる。
【００１０】
さらには、このような取っ手を設ける場合、取っ手の上部を笹の葉の形状とする。
【００１１】
このように構成すれば、取っ手部分に手を入れて持ち上げる場合、笹の葉の裏面が平面状となっているため、手への接触面積が大きくなり、安定して容器本体を持ち上げることができるようになる。
【考案の効果】
【００１２】
本考案は、有底の容器本体に飲食物を注ぎ入れるための飲食用容器において、竹筒の表面に模した耐熱性ガラスもしくは耐熱性セラミックス製の筒部と、耐熱ガラスもしくは耐熱セラミックスで構成され、前記筒部よりも径の大きな節部とを設けて構成するようにしたので、美観を竹に似せることができ、また、加熱された飲料なども注ぎ込むことができるようになる。
【考案を実施するための最良の形態】
【００１３】
以下、本考案の一実施の形態について図面を参照して説明する。図１は、本考案の一実施の形態における飲食用容器１を示す斜視図であり、図２は、図１におけるＡ−Ａ線に沿う断面図を正面から見た図である。
【００１４】
本実施の形態の飲食用容器１は、容器本体２の表面に竹の色や模様を有するようにしたもので、全体を耐熱性ガラスもしくは耐熱性セラミックスで構成するようにしたものである。この容器本体２は、後述するように筒部３と底部４とを設け、さらに、その容器本体２の側面に取っ手５を設けるようにしている。以下、飲食用容器１の具体的構成について詳細に説明する。
【００１５】
まず、容器本体２は、竹筒の外観や形状を模した筒部３と、その筒部３の内部に設けられる底部４とを設けて構成される。
【００１６】
このうち筒部３は、上からみた断面形状が円形や略四角形状、もしくは、一部に窪みを有する形状に構成される。そして、筒部３の外側表面に繊維状凹凸部３１を設けるようにしている。この繊維状凹凸部３１は、天然竹の表面に現れる繊維の触感に似せた凹凸形状を有するもので、例えば、サンドブラスト法などによって形成される。このサンドブラスト法は、金剛砂などのサンド（研磨剤）を筒部３の外側表面に吹き付けるもので、例えば、天然竹の表面と容器本体２の筒部３表面の摩擦力が同等程度になるようにサンド（研磨剤）を選んで吹き付けを行う。このようなサンドブラスト法によれば、天然竹の細かい繊維に似せた縦方向の凹凸を形成することができるため、筒部３を持った際の感触に似せることができるようになる。なお、この筒部３の表面の形成方法に関しては、多種多様の方法を用いることができ、いずれの方法による場合でも、表面に縦方向の筋状の凹凸を有するようにすればよい。また、この実施の形態では、筒部３の外側表面にのみ竹の繊維状凹凸部３１を設けるとともに、内側表面については光沢状表面を設けるようにしている。内側表面についても竹の繊維状凹凸部３１を設けることもできるが、このようにした場合、サンドブラスト法などによる繊維状凹凸部３１の形成が困難であるとともに、コーヒーやお茶などの飲料物の飲み跡が残って洗い落とすことが困難になる。これに対して、内側表面を光沢状にしておけば、飲み跡をきれいに洗い落とすことができ、また、外側の美観を損なうようなこともなくなる。
【００１７】
そして、この筒部３の下方部分には節部３２を設ける。この節部３２は、好ましくは、筒部３の底部分よりも若干上方に設ける。このようにすると、底面部分の面積が大きくなるために、容器全体を安定して机上などに置くことができるようになる。この節部３２は、筒部３の外径よりも若干大径に構成されるもので、天然竹の節に似せた形状に構成される。この節部３２は、筒部３と一体形成され、サンドブラスト法によって筒部３の表面に繊維状凹凸部３１を形成する場合には、節部３２の表面にフィルムを被覆して節部３２に繊維状凹凸を形成しないようにする。
【００１８】
一方、この節部３２の内側に設けられる底部４は、筒部３や節部３２と一体成形されるもので、筒部３の内側表面とで飲料物を保持できるようにしている。底部４の形状は特に限定されないが、底部４は飲食用容器１を洗いやすくするためにバスタブ形状とするのが好ましい。
【００１９】
そして、このように構成された容器本体２の側方には、取っ手５を設けている。この取っ手５は、人間が容器本体２を持ち上げる際に手を掛けるものでループ状に構成される。一般のコップの取っ手は、無機質な略半円状となっているものが多いが、竹に模した容器本体２にこのような無機質な取っ手を設けると、竹のイメージを壊すことになる。このため、この実施の形態では、可能な限り天然竹のイメージに近づけるように、節部３２から枝部５１を設けるとともに、その枝部５１の上端に内側と外側に広げた２枚の笹部５２（内側笹部５２ａ、外側笹部５２ｂ）を設けている。そして、その内側笹部５２ａの先端を筒部３の上部に戻して溶着するようにしている。この枝部５１や笹部５２は、筒部３や節部３２などと同様に、天然竹の枝や笹の葉の形状を模した形状に構成され、この扁平状に設けられた笹部５２の裏側に手を掛けられるようにしている。これによって、手への接触面積を大きくして、安定して容器本体２を持ち上げられるようにしている。この枝部５１や笹部５２は、容器本体２と同様に、耐熱性ガラスもしくは耐熱性セラミックスなどによって構成される。
【００２０】
この容器本体２や取っ手５を構成する素材は、JIS規格で定められるJIS S2030（耐熱性食器）やJIS S2400（陶磁器製耐熱食器）などに定められる素材が用いられる。そして、好ましくは、薄緑、ベージュ、茶色などに着色されており、しかも、不均一に着色された素材を用いる。このような着色方法としては、例えば、竹の一側面側を薄いベージュとし、その裏側側面を濃いベージュとして、日向と日陰のイメージを与え、もしくは、節部３２にのみ濃い着色を施して節部３２を強調する。そして、このような素材を用いることにより、次のような工程で飲食用容器１を製造する。
【００２１】
飲食用容器１を製造する方法については特に限定されないが、本実施の形態では、耐熱ガラスを型吹き法によって容器本体２を成形する。このとき、不均一に着色されたガラスを用いて筒部３と節部３２と底部４を一体成形し、略円筒状の容器本体２を形成する。そして、この容器本体２を冷却させた後、今度は、節部３２の周囲に被覆を施してサンドブラスト法によって筒部３の外側表面に繊維状凹凸部３１を設ける。このとき、不均一に着色された筒部３の表面が削られるため、凹部の色と外側表面の色との間に線状の色差を生じ、天然竹の繊維に似せた繊維状凹凸部３１が形成される。
【００２２】
そして、これと並行して、今度は、耐熱性ガラスなどを用いて枝部５１と笹部５２を有する取っ手５を形成し、その枝部５１の下端部分を容器本体２の節部３２に溶着する。また、内側笹部５２ａの先端部分については、筒部３の外側側面に溶着して、全体としてループ状の取っ手５を形成する。
【００２３】
上述のように、上記実施の形態によれば、底の容器本体２に飲食物を注ぎ入れることのできる飲食用容器１において、竹の繊維状凹凸に模した表面を有する耐熱性ガラスもしくは耐熱性セラミックスで構成した筒部３と、耐熱ガラスもしくは耐熱セラミックスで構成され、前記筒部３よりも径の大きな節部３２とを設けて構成するようにしたので、触感や美観を竹に似せることができ、また、耐熱効果により注ぎ込める飲料などの温度を限定させるようなことがなくなる。また、電子レンジなどで容器ごと飲料物などを加熱することもできるようになる。
【００２４】
また、このような飲食用容器１において、容器本体２の側部に取っ手５を設け、その取っ手５を竹の枝と笹の葉の形状に模した耐熱性ガラスもしくは耐熱性セラミックスで構成するようにしたので、竹の模様などを付加していない取っ手５を設けた場合に比べて、飲食用容器１における竹の質感のイメージを損なうことがなくなる。また、取っ手５も耐熱性ガラスや耐熱性セラミックスで構成されているため、温度変化に基づく劣化などを防止することができるようになる。
【００２５】
さらに、このような取っ手５を設ける場合、上部を笹の葉の形状となるようにしたので、取っ手５部分に手を入れた場合、手への接触面積が大きくなり、容器本体２を持ちやすくすることができるようになる。
【００２６】
なお、本考案は上記実施の形態に限定されることなく、種々の態様で実施することができる。
【００２７】
例えば、上記実施の形態では、取っ手５を有する飲食用容器１として説明しているが、取っ手５を有していない飲食用容器１とすることもできる。また、取っ手５を設ける場合についても、笹の葉を有さない形状、すなわち、枝をループ状に取り付けた形状とすることもできる。さらには、この実施の形態では、笹の葉の先端部分を筒部３に戻すように取り付けているが、このように取り付けないようにすることもできる。
【００２８】
また、上記実施の形態では、容器本体２に節部３２を設けるようにしているが、節部３２を有しさない容器本体２とすることもできる。
【００２９】
さらに、上記実施の形態では、図１に示すように、取っ手５の上部を笹部５２で構成し、筒部３に戻る内側笹部５２ａと、この内側笹部５２ａと逆方向に生える外側笹部５２ｂを備えるようにしているが、図３に示すように、筒部３の外側側面に先端部分を溶接した内側笹部５２ａと、この内側笹部５２ａの上から見た垂直方向へ向かって生える側方笹部５２ｃとを備えるようにしてもよい。このような側方笹部５２ｃを設ければ、この側方笹部５２ｃに親指を掛けることができ、より安定して容器本体２を保持することができるようになる。また、上記実施の形態では、２枚の笹部５２ａ、５２ｂを設けるようにしているが、このような枚数に限定されるものでなく、一枚のみの笹部５２や、もしくは、３枚以上の笹部５２を設けるようにしてもよい。
【００３０】
加えて、上記実施の形態では、容器本体２の素材として着色された素材を用いているが、これに限定されるものではなく、例えば、後から塗料を噴霧することによって塗装してもよい。このとき、容器内部に塗料ができるだけ入らないようにし、容器を回転させながら当該容器の外周を塗装すると塗膜が薄く均等に噴霧されるので好ましい。手塗りでもかまわないが、塗料の吸い込みムラが生じる範囲で塗膜をできるだけ薄く塗る必要がある。塗料には、塗料を形成するための樹脂成分の他に、可塑剤、溶剤、水、乳化剤、界面活性剤、顔料、染料などや少量の香料などを含んでいても構わない。また塗装膜の色は、青竹色は清涼感があって実用上好適であるが、天然の竹に模した色調であれば、青竹以外に例えば枯れ竹色などでも構わない。なお、塗装後に、容器を水または温熱水で洗浄する工程を加えておくと、衛生上好ましい。
【００３１】
また、上記実施の形態では、筒部３の表面に繊維状凹凸部３１を設けるようにしているが、これに限らず、光沢を有するような竹筒デザインや、粗面を有する竹筒デザインを有するようにしてもよい。
【図面の簡単な説明】
【００３２】
【図１】本考案の第一の実施形態における飲食用容器を示す斜視図
【図２】同実施の形態におけるＡ−Ａ線に沿う断面図
【図３】本考案の第二の実施形態における飲食用容器を示す斜視図
【符号の説明】
【００３３】
１・・・飲食用容器
２・・・容器本体
３・・・筒部
４・・・底部
５・・・取っ手
３１・・・繊維状凹凸部
３２・・・節部
５１・・・枝部
５２、５２ａ、５２ｂ、５２ｃ・・・笹部
【図１】
0003122096.tif 000003
【図２】
0003122096.tif 000004
【図３】
0003122096.tif 000005